【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】  拡大された光帯域幅にわたって光入力信号を増幅するための方法であって、
希土類が添加されたアモルファスＹ2ＳｉＯ5材料を含む光導波路に該光入力信号を入力するステップを含み、前記光入力信号は、第１の波長を有する少なくとも第１の光信号と、前記第１の波長よりも約１６０ナノメートル大きい第２の波長を有する少なくとも第２の光信号とを含み、前記方法はさらに、
前記光導波路に励起光を加えて、少なくとも前記第１の光信号および前記第２の光信号が増幅されるように、前記導波路に光利得を前記光入力信号へ提供させるステップを含む、方法。
【請求項２】  前記アモルファスＹ2ＳｉＯ5材料はエルビウムが添加されている、請求項１に記載の方法。
【請求項３】  前記アモルファスＹ2ＳｉＯ5材料はエルビウムおよびイッテルビウムが添加されている、請求項１に記載の方法。
【請求項４】  拡大された光帯域幅にわたって光入力信号を増幅する光増幅器であって、
光学的励起光を提供する光励起源と、
希土類が添加されたアモルファスＹ2ＳｉＯ5材料を含む光導波路とを含み、前記光導波路は光学的に結合されて前記光励起源から前記光学的励起光を受け、前記光導波路は複数の波長を有する光入力信号を受け、前記光入力信号は、第１の波長を有する少なくとも第１の光信号と、前記第１の波長よりも約１６０ナノメートル大きい第２の波長を有する少なくとも第２の光信号とを含み、前記励起光は、励起波長と、少なくとも前記第１の光信号および前記第２の光信号が増幅されるように前記光導波路に光利得を提供させる該励起波長での強度とを有する、光増幅器。
【請求項５】  前記アモルファスＹ2ＳｉＯ5材料はエルビウムが添加されている、請求項４に記載の光増幅器。
【請求項６】  前記アモルファスＹ2ＳｉＯ5材料はエルビウムおよびイッテルビウムが添加されている、請求項４に記載の光増幅器。
【請求項７】  拡大された光帯域幅にわたって光入力信号を増幅するための方法であって、
希土類が添加されたアモルファスＹ3Ｓｃ2Ｇａ3Ｏ12材料を含む光導波路に該光入力信号を入力するステップを含み、前記光入力信号は、第１の波長を有する少なくとも第１の光信号と、前記第１の波長よりも約１３０ナノメートル大きい第２の波長を有する少なくとも第２の光信号とを含み、前記方法はさらに、
前記光導波路に励起光を加えて、少なくとも前記第１の光信号および前記第２の光信号が増幅されるように、前記導波路に光利得を前記光入力信号へ提供させるステップを含む、方法。
【請求項８】  前記アモルファスＹ3Ｓｃ2Ｇａ3Ｏ12材料はエルビウムが添加されている、請求項７に記載の方法。
【請求項９】  前記アモルファスＹ3Ｓｃ2Ｇａ3Ｏ12材料はエルビウムおよびイッテルビウムが添加されている、請求項７に記載の方法。
【請求項１０】  前記アモルファスＹ3Ｓｃ2Ｇａ3Ｏ12材料はエルビウムおよびクロムが添加されている、請求項７に記載の方法。
【請求項１１】  拡大された光帯域幅にわたって光入力信号を増幅する光増幅器であって、
光学的励起光を提供する光励起源と、
希土類が添加されたアモルファスＹ3Ｓｃ2Ｇａ3Ｏ12材料を含む光導波路とを含み、前記光導波路は光学的に結合されて前記光励起源から前記光学的励起光を受け、前記光導波路は複数の波長を有する光入力信号を受け、前記光入力信号は、第１の波長を有する少なくとも第１の光信号と、前記第１の波長よりも約１３０ナノメートル大きい第２の波長を有する少なくとも第２の光信号とを含み、前記励起光は、励起波長と、少なくとも前記第１の光信号および前記第２の光信号が増幅されるように前記光導波路に光利得を提供させる該励起波長での強度とを有する、光増幅器。
【請求項１２】  前記アモルファスＹ3Ｓｃ2Ｇａ3Ｏ12材料はエルビウムが添加されている、請求項１１に記載の光増幅器。
【請求項１３】  前記アモルファスＹ3Ｓｃ2Ｇａ3Ｏ12材料はエルビウムおよびイッテルビウムが添加されている、請求項１１に記載の光増幅器。
【請求項１４】  前記アモルファスＹ3Ｓｃ2Ｇａ3Ｏ12材料はエルビウムおよびクロムが添加されている、請求項１１に記載の光増幅器。
【請求項１５】  拡大された光帯域幅にわたって光入力信号を増幅するための方法であって、
希土類が添加されたアモルファスＬｕ3Ａｌ5Ｏ12材料を含む光導波路に該光入力信号を入力するステップを含み、前記光入力信号は、第１の波長を有する少なくとも第１の光信号と、前記第１の波長よりも約１６０ナノメートル大きい第２の波長を有する少なくとも第２の光信号とを含み、前記方法はさらに、
前記光導波路に励起光を加えて、少なくとも前記第１の光信号および前記第２の光信号が増幅されるように、前記導波路に光利得を前記光入力信号へ提供させるステップを含む、方法。
【請求項１６】  前記アモルファスＬｕ3Ａｌ5Ｏ12材料はエルビウムが添加されている、請求項１５に記載の方法。
【請求項１７】  拡大された光帯域幅にわたって光入力信号を増幅する光増幅器であって、
光学的励起光を提供する光励起源と、
希土類が添加されたアモルファスＬｕ3Ａｌ5Ｏ12材料を含む光導波路とを含み、前記光導波路は光学的に結合されて前記光励起源から前記光学的励起光を受け、前記光導波路は複数の波長を有する光入力信号を受け、前記光入力信号は、第１の波長を有する少なくとも第１の光信号と、前記第１の波長よりも約１６０ナノメートル大きい第２の波長を有する少なくとも第２の光信号とを含み、前記励起光は、励起波長と、少なくとも前記第１の光信号および前記第２の光信号が増幅されるように前記光導波路に光利得を提供させる該励起波長での強度とを有する、光増幅器。
【請求項１８】  前記アモルファスＬｕ3Ａｌ5Ｏ12材料はエルビウムが添加されている、請求項１７に記載の光増幅器。
【請求項１９】  拡大された光帯域幅にわたって光入力信号を増幅するための方法であって、
希土類が添加されたアモルファスＢｉ4Ｇｅ3Ｏ12材料を含む光導波路に該光入力信号を入力するステップを含み、前記光入力信号は、第１の波長を有する少なくとも第１の光信号と、前記第１の波長よりも約１２５ナノメートル大きい第２の波長を有する少なくとも第２の光信号とを含み、前記方法はさらに、
前記光導波路に励起光を加えて、少なくとも前記第１の光信号および前記第２の光信号が増幅されるように、前記導波路に光利得を前記光入力信号へ提供させるステップを含む、方法。
【請求項２０】  前記アモルファスＢｉ4Ｇｅ3Ｏ12材料はエルビウムが添加されている、請求項１９に記載の方法。
【請求項２１】  拡大された光帯域幅にわたって光入力信号を増幅する光増幅器であって、
光学的励起光を提供する光励起源と、
希土類が添加されたアモルファスＢｉ4Ｇｅ3Ｏ12材料を含む光導波路とを含み、前記光導波路は光学的に結合されて前記光励起源から前記光学的励起光を受け、前記光導波路は複数の波長を有する光入力信号を受け、前記光入力信号は、第１の波長を有する少なくとも第１の光信号と、前記第１の波長よりも約１２５ナノメートル大きい第２の波長を有する少なくとも第２の光信号とを含み、前記励起光は、励起波長と、少なくとも前記第１の光信号および前記第２の光信号が増幅されるように前記光導波路に光利得を提供させる該励起波長での強度とを有する、光増幅器。
【請求項２２】  前記アモルファスＢｉ4Ｇｅ3Ｏ12材料はエルビウムが添加されている、請求項２１に記載の光増幅器。
【請求項２３】  拡大された光帯域幅にわたって光入力信号を増幅するための方法であって、
希土類が添加されたアモルファスＳｒＹ4（ＳｉＯ4）3Ｏ材料を含む光導波路に該光入力信号を入力するステップを含み、前記光入力信号は、第１の波長を有する少なくとも第１の光信号と、前記第１の波長よりも約１２５ナノメートル大きい第２の波長を有する少なくとも第２の光信号とを含み、前記方法はさらに、
前記光導波路に励起光を加えて、少なくとも前記第１の光信号および前記第２の光信号が増幅されるように、前記導波路に光利得を前記光入力信号へ提供させるステップを含む、方法。
【請求項２４】  前記アモルファスＳｒＹ4（ＳｉＯ4）3Ｏ材料はエルビウムが添加されている、請求項２３に記載の方法。
【請求項２５】  拡大された光帯域幅にわたって光入力信号を増幅する光増幅器であって、
光学的励起光を提供する光励起源と、
希土類が添加されたアモルファスＳｒＹ4（ＳｉＯ4）3Ｏ材料を含む光導波路とを含み、前記光導波路は光学的に結合されて前記光励起源から前記光学的励起光を受け、前記光導波路は複数の波長を有する光入力信号を受け、前記光入力信号は、第１の波長を有する少なくとも第１の光信号と、前記第１の波長よりも約１２５ナノメートル大きい第２の波長を有する少なくとも第２の光信号とを含み、前記励起光は、励起波長と、少なくとも前記第１の光信号および前記第２の光信号が増幅されるように前記光導波路に光利得を提供させる該励起波長での強度とを有する、光増幅器。
【請求項２６】  前記アモルファスＳｒＹ4（ＳｉＯ4）3Ｏ材料はエルビウムが添加されている、請求項２５に記載の光増幅器。